(57)【要約】  装置高速化に伴い、短時間でプローブの広範囲に対し洗浄から乾燥までを行う必要がある。プローブ（７ａ）と、洗浄液を吐出する洗浄ノズル（２０１、２０２）と、空気を吸引する真空ノズル（２１１、２１２ａ〜ｃ）と、洗浄ノズル（２０１、２０２）と真空ノズル（２１１、２１２ａ〜ｃ）とに接続され、洗浄ノズル（２０１、２０２）から該洗浄液を吐出した後、真空ノズル（２１１、２１２ａ〜ｃ）で空気を吸引することで、プローブ（７ａ）の洗浄および乾燥を行う洗浄槽（３０）と、洗浄槽（３０）に接続され、該洗浄液を排出する廃液流路（２５０）と、洗浄ノズル（２０１、２０２）から該洗浄液を吐出した後に洗浄槽（３０）と廃液流路（２５０）との間の流路を遮蔽する遮蔽部材（１００）と、を備える。
2015111470.tif 000002
【特許請求の範囲】
【請求項１】
試薬又は検体試料を吸引吐出するプローブと、  洗浄液を吐出する洗浄ノズルと、  空気を吸引する真空ノズルと、  前記洗浄ノズルと前記真空ノズルに接続され、前記洗浄ノズルから該洗浄液を吐出した後、前記真空ノズルで空気を吸引することで、前記プローブの洗浄および乾燥を行う洗浄槽と、  前記洗浄槽に接続され、該洗浄液を排出する廃液流路と、  前記洗浄ノズルから吐出された該洗浄液を前記廃液流路に排出した後に前記洗浄槽と前記廃液流路との間の流路を遮蔽する遮蔽部材と、を備えることを特徴とする自動分析装置。
【請求項２】
請求項１記載の自動分析装置において、  前記遮蔽部材は、前記洗浄槽と前記廃液流路との間に配置され、前記真空ノズルの吸引に伴う吸引力によって移動し、前記洗浄槽と前記廃液流路との間の流路を遮蔽することを特徴とする自動分析装置。
【請求項３】
請求項２記載の自動分析装置において、  前記遮蔽部材は、球形状部材であって、  さらに、該球形状部材と前記洗浄槽との間に配置された、該球形状部材の移動を抑制する移動抑制部材とを備え、  前記真空ノズルの吸引に伴い、該球形状部材が前記移動抑制部材に接触することで前記洗浄槽と前記廃液流路との間の流路を遮蔽することを特徴とする自動分析装置。
【請求項４】
請求項３記載の自動分析装置において、  前記移動抑制部材は、該球形状部材の外径よりも幅の狭い内径を有するＯリングであることを特徴とする自動分析装置。
【請求項５】
請求項４記載の自動分析装置において、  該球形状部材、前記Ｏリング、前記洗浄槽は、下から順番に配置され、前記真空ノズルが空気を吸引していない間は、該球形状部材は前記Ｏリングに非接触であり、前記真空ノズルの吸引に伴い、該球形状部材は垂直方向上方に移動し、前記Ｏリングに接触することを特徴とする自動分析装置。
【請求項６】
請求項３記載の自動分析装置において、  前記洗浄ノズルが洗浄液を吐出している間に該球形状部材を保持する、３つ以上の保持部を備え、  前記保持部は該球形状部材の外径よりも短い直径を有する円の円周上に配置されることを特徴とする自動分析装置。
【請求項７】
請求項１記載の自動分析装置において、  さらに、前記洗浄槽に電極を備え、  前記電極により前記洗浄槽と前記廃液流路との間の流路における詰まりを検知することを特徴とする自動分析装置。
【請求項８】
請求項７記載の自動分析装置において、  さらに、前記プローブの駆動および前記プローブの内洗水の吐出を制御するコントローラを備え、  前記遮蔽部材は、前記洗浄槽と前記廃液流路との間に配置され、前記真空ノズルの吸引に伴う吸引力によって移動し、前記洗浄槽と前記廃液流路との間の流路を遮蔽状態とする部材であって、  前記コントローラは、前記詰まりを検知した場合に、前記プローブを前記遮蔽部材に押し当てる、又は、前記プローブから内洗水を吐出することによって前記遮蔽部材による遮蔽状態を解除することを特徴とする自動分析装置。
【請求項９】
請求項１記載の自動分析装置において、  前記洗浄槽は、前記プローブを挿入するための絞り部を備え、  前記プローブが前記絞り部に挿入された状態で前記真空ノズルの空気の吸引がなされることを特徴とする自動分析装置。
【請求項１０】
請求項９記載の自動分析装置において、  前記絞り部は、前記洗浄ノズルが吐出する洗浄液が流れる経路上に配置されることを特徴とする自動分析装置。
【請求項１１】
請求項１０記載の自動分析装置において、  前記洗浄槽は、前記洗浄ノズルから吐出された洗浄液を排出するオーバーフロー部を備え、  前記オーバーフロー部は前記廃液流路に接続され、  前記オーバーフロー部を介して排出される洗浄液は、前記遮蔽部材を介さずに前記廃液流路に排出されることを特徴とする自動分析装置。
【請求項１２】
請求項１記載の自動分析装置において、  前記廃液流路として、自動分析装置に固定された配管を備え、  前記洗浄槽は前記配管と別部材で構成され、前記洗浄槽は前記配管と着脱可能なことを特徴とする自動分析装置。
【請求項１３】
請求項１記載の自動分析装置において、  前記プローブ、前記洗浄ノズル、前記真空ノズルを制御するコントローラを備え、  前記コントローラは、前記プローブを前記洗浄槽に対して下降させた後、前記プローブを水平方向に駆動させずに上下方向の駆動、前記洗浄ノズルの制御、および、前記真空ノズルの制御により、前記プローブの洗浄及び乾燥を行うことを特徴とする自動分析装置。
【請求項１４】
請求項１記載の自動分析装置において、  前記遮蔽部材は電磁弁であって、  さらに、前記電磁弁の開閉状態を制御するコントローラを備え、  前記コントローラは、前記洗浄ノズルから吐出された該洗浄液を前記廃液流路に排出した後に前記電磁弁を開状態から閉状態とすることで、前記洗浄槽と前記廃液流路との間の流路を遮蔽し、前記電磁弁が閉状態で前記真空ノズルの吸引を行うことを特徴とする自動分析装置。
【請求項１５】
請求項１記載の自動分析装置において、  さらに、検体試料と試薬とを混合する反応容器を保持する反応ディスクと、該反応容器に光を照射する光源と、該反応容器に照射された光を受光し分光する分光光度計と、前記分光光度計で受光した光量から該検体試料に含まれる所定成分濃度を算出するコントローラと、を備えることを特徴とする自動分析装置。
【請求項１６】
試薬又は検体試料を吸引吐出するプローブと、  洗浄液を吐出する洗浄ノズルと、  空気を吸引する真空ノズルと、  前記洗浄ノズルと前記真空ノズルに接続され、前記プローブの洗浄および乾燥を行う洗浄槽と、  前記洗浄槽に接続され、該洗浄液を排出する廃液流路と、  前記洗浄槽と前記廃液流路との間に配置され、前記真空ノズルの吸引に伴う吸引力によって移動し、前記洗浄槽と前記廃液流路との間の流路を遮蔽する遮蔽部材と、を備えることを特徴とする自動分析装置。
【請求項１７】
請求項１６記載の自動分析装置において、  前記遮蔽部材は、球形状部材であることを特徴とする自動分析装置。
【請求項１８】
請求項１６記載の自動分析装置において、  前記遮蔽部材は、球形状部材であって、  さらに、該球形状部材と前記洗浄槽との間に配置された、該球形状部材の移動を抑制する移動抑制部材とを備え、  前記真空ノズルの吸引に伴い、該球形状部材が前記移動抑制部材に接触することで前記洗浄槽と前記廃液流路との間の流路を遮蔽することを特徴とする自動分析装置。
【発明の詳細な説明】
【技術分野】
【０００１】  本発明は、試薬、血液や尿等の液体試料を分注する分注装置およびそれを用いた自動分析装置に係り、特に、プローブに付着した洗浄液の乾燥を効率よく実施することができる機能を備えた洗浄槽、およびそれを備えた自動分析装置に関する。
【背景技術】
【０００２】  例えば、生化学自動分析装置や免疫自動分析装置などの自動分析装置では、試薬或いは被検体試料の吸引吐出後に洗浄液でプローブの洗浄を行う洗浄槽を備えている。【０００３】  プローブで試薬或いは被検体試料を吸引する時のプローブの汚染量は、通常、プローブが液面を検知後に突っ込む量の５ｍｍ程度がプローブの洗浄範囲となるが、例えば、試薬の蒸発を防止するために試薬ボトルに切り込みを入れたキャップを取り付けた試薬ボトルから、試薬の吸引を行う場合は、試薬のキャップから試薬ボトル底までの範囲を洗浄する必要があり、多くの範囲を洗浄する必要がある。【０００４】  しかしノズルの洗浄範囲を広げるということは、次の欠点がある。洗浄範囲が増えることにより、洗浄時間を多く設けなくてはならない。また、プローブ洗浄後はプローブの側面に付着した洗浄液が多量に残っており、その状態で次の試薬吸引を行うとプローブ側面に付着した洗浄液が試薬ボトル内に混入することが想定でき、洗浄液で試薬を薄めてしまうことにつながる。【０００５】  被検体試料内に深くプローブを突っ込むケースも、上記に説明した通りに、プローブの洗浄範囲を広範囲で行うために同等の欠点が生じる。【０００６】  プローブの洗浄範囲が広い場合には（例：洗浄範囲８０ｍｍ）プローブ洗浄後のプローブ側面に付着した洗浄液を取り除く方法として、プローブはプローブ洗浄位置で洗浄後に真空吸引筒位置に移動し、真空吸引筒にプローブを下降させ、真空吸引筒内に真空を引くことでプローブ側面に付着した洗浄液を取り除く方式が知られている（特許文献１、２）。【０００７】  しかしながら、この方式では、プローブ洗浄位置から真空吸引筒位置に水平移動させる必要があるため、洗浄から乾燥までに時間がかかるという課題がある。【０００８】  この課題を克服するために、プローブの洗浄から乾燥までを同一の位置で実施する方法が考えられ、この方式も知られている（特許文献３）。
【先行技術文献】
【特許文献】
【０００９】
【特許文献１】特開２００２−３４０９１３号公報
【特許文献２】特開２００５−２５７４９１号公報
【特許文献３】特開２００１−１３３４６６号公報
【発明の概要】
【発明が解決しようとする課題】
【００１０】  特許文献３の技術は特許文献１、２に比べ洗浄から乾燥までの時間の短縮が可能であると考えられるが、依然として特許文献３に開示する技術においては以下の課題がある。【００１１】  プローブ洗浄から乾燥までを同一の位置で行う場合は、洗浄槽内部の廃液流路を閉塞させて、洗浄槽内部を真空で吸引し、ノズル挿入口から引きこむ空気の量を多量に吸い込む必要がある。多量に吸い込む風速を利用して、プローブ側面に付着した外洗水を吹き飛ばす必要があるためである。多量に空気を吸い込む場合には、吸い込む時間がある程度必要であり、吸い込む空気の量を減らすことが乾燥時間の短縮には望ましい。しかしながら、特許文献３においては、この吸い込む空気の量を減らす工夫については何ら考慮されていない。【００１２】  また、特許文献３の技術では、洗浄液をすべて一度廃液溜めに溜めるため、廃液を充分溜められるだけの廃液溜めが必要となる。この場合、比較的大きな廃液溜めが必要になり、この結果洗浄槽自体も大きくなるという課題がある。
【課題を解決するための手段】
【００１３】  上記目的を達成するための本発明の構成は以下の通りである。【００１４】  代表的な本発明は、試薬又は検体試料を吸引吐出するプローブと、洗浄液を吐出する洗浄ノズルと、空気を吸引する真空ノズルと、前記洗浄ノズルと前記真空ノズルに接続され、前記洗浄ノズルから該洗浄液を吐出した後、前記真空ノズルで空気を吸引することで、前記プローブの洗浄および乾燥を行う洗浄槽と、前記洗浄槽に接続され、該洗浄液を排出する廃液流路と、前記洗浄ノズルから該洗浄液を吐出した後に前記洗浄槽と前記廃液流路との間の流路を遮蔽する遮蔽部材と、を備える自動分析装置である。【００１５】  また、別の代表的な本発明は、試薬又は検体試料を吸引吐出するプローブと、洗浄液を吐出する洗浄ノズルと、空気を吸引する真空ノズルと、前記洗浄ノズルと前記真空ノズルに接続され、前記プローブの洗浄および乾燥を行う洗浄槽と、前記洗浄槽に接続され、該洗浄液を排出する廃液流路と、前記洗浄槽と前記廃液流路との間に配置され、前記真空ノズルの吸引に伴う吸引力によって移動し、前記洗浄槽と前記廃液流路との間の流路を遮蔽する遮蔽部材と、を備える自動分析装置である。
【発明の効果】
【００１６】  本発明の自動分析装置によれば、この遮蔽部材の役割により、真空吸引の際に吸い込む空気の量を減らすことができ、乾燥時間を短縮することができる。ひいては、洗浄から乾燥までの時間を短縮することができる。【００１７】  また、本発明の自動分析装置によれば、上記の効果に加え、遮蔽部材が作用する前においては、洗浄液は効率的に廃液流路に排出されるため、洗浄槽を小型化することができる。ひいては、設置スペースの小型化ができる。
【図面の簡単な説明】
【００１８】
【図１】本発明に係る自動分析装置の概略全体斜視図である。
【図２】本発明に係る洗浄槽斜視断面図である。
【図３】本発明に係る要部断面図である。
【図４】本発明に係る洗浄から乾燥までの動作説明図である。
【図５】本発明に係る保持部の上面図である。
【図６（ａ）】本発明に係る洗浄槽の詰まり検知のフロー図である。
【図６（ｂ）】本発明に係る洗浄槽の詰まり検知のフロー図である。
【図６（ｃ）】本発明に係る洗浄槽の詰まり検知のフロー図である。
【図７】本発明に係る洗浄槽の洗浄ノズルの流路図である。
【図８】本発明に係る洗浄槽斜視断面図である。
【発明を実施するための形態】
【００１９】  以下、図面を用いて本発明の実施例を説明する。
【００２０】  図1は本発明の実施例の斜視図である。
【００２１】  反応ディスク１には血液又は尿などの検体試料と試薬とを混合する複数の反応容器２が円周上に並んでいる。試薬ディスク９の中には複数の試薬ボトル１０が円周上に載置可能である。反応ディスク１の近くに試料容器１５を載せたラック１６を移動する試料搬送機構１７が設置されている。反応ディスク１と試薬ディスク９の間には回転及び上下動可能な試薬分注機構７、８が設置されており、試薬プローブ７ａを備えている。サンプルプローブ７ａには試薬用シリンジ１８が接続されている。反応ディスク１と試料搬送機構１７の間には、回転及び上下動可能なサンプル分注機構１１が設置されており、サンプルプローブ１１ａを備えている。サンプルプローブ１１ａには試料用シリンジ１９が接続されている。
【００２２】  サンプルプローブ１１ａは回転軸を中心に円弧を描きながら移動して試料容器から反応セルへの検体試料の吸引吐出を行う。
【００２３】  反応ディスク１の周囲には、洗浄機構３、光源、分光光度計４、攪拌機構５、６、試薬ディスク９、試料搬送機構１７が配置され、洗浄機構３には洗浄用ポンプ２０が接続されている。試薬分注機構７、８、サンプル分注機構１１、攪拌機構５、６の動作範囲上に洗浄槽１３、３０、３１、３２、３３がそれぞれ設置されている。試料容器１５には検体試料が含まれ、ラック１６に載せられて試料搬送機構１７によって運ばれる。また、各機構はコントローラ２１に接続されており、当該コントローラ２１が各機構を制御している。
【００２４】  光源から照射された光は、反応容器２内で混合された検体試料と試薬の混合液に照射される。照射された光は分光光度計４により受光され、コントローラ２１は、この光量から検体試料に含まれる所定成分濃度を算出する。
【００２５】  以上が自動分析装置の全体構成である。
【００２６】  次に本発明の実施例を説明する。
【００２７】  試薬ボトルの試薬プローブ吸引口位置には内部を密閉するためにキャップが取り付けられており、装置内にセットする時にキャップを取り外して装置内に設置することが一般的である。近年、キャップに切り込み上の穴を開けて、試薬プローブ７ａを切り込み部に挿入させて試薬を吸引する方法がある。試薬はキャップの開口部が僅かな切り込みとなるため、試薬は外気との接触が最小となり、試薬の劣化は従来と比較し、改善される。しかし、試薬プローブ７ａの洗浄範囲はキャップから試薬を吸引するために挿入した全範囲となるため、従来のキャップが無い場合と比較すると広範囲の洗浄が必要となる。
【００２８】  図２は本発明に係る自動分析装置の洗浄槽３０の斜視図断面である。右上図はさらに洗浄槽３０の要部断面斜視図である。
【００２９】  洗浄槽内部には、洗浄液を吐出する洗浄ノズル２０１、２０２が備えられ、この洗浄液により試薬プローブ７ａは洗浄される。また、空気を吸引する真空ノズル２１１、２１２ａ〜ｃが備えられ、この真空ノズルの吸引力により試薬プローブ７ａの乾燥がなされる。これらのノズルは洗浄槽に接続され、夫々のノズルは洗浄液を洗浄槽に吐出したり、洗浄槽内の空気を吸引することができる。
【００３０】  洗浄槽には絞り部３０１が設けられ、絞り部３０１の開口部に試薬プローブ７ａの挿入が行われることにより、プローブの洗浄及び乾燥がなされる。この絞り部は外から流れ込む空気を加速させ、乾燥力を高める役割を果たす。絞り部３０１の直径は試薬プローブ７ａの外径より大きすぎると、洗浄筒内に入る空気の速度はあまり速くならないため、試薬プローブ７ａ側面に付着した洗浄液を吹き飛ばす効果は、絞り部３０１を適切な直径とした場合に比べ低くなる。結果として次の液体を吸引する際に、洗浄液の残りで薄めてしまうことになるので十分な洗浄液の除去能力が必要となる。このため、適当な吸引力で十分な洗浄液の除去能力を確保するためには、試薬プローブ７ａの外径と絞り部３０１穴径のクリアランスは０．２ｍｍ〜１ｍｍの間が望ましい。また、あまりにもこのクリアランスが狭すぎると絞り部３０１に試薬プローブ７ａ側面に付着した試薬が付着する可能性がある。しかし、この絞り部３０１は、洗浄ノズル２０１が吐出する洗浄液が流れる経路上に配置されているため、この洗浄液により絞り部３０１を洗浄することができる。
【００３１】  洗浄槽内部には、試薬プローブ７ａを挿入する位置に隣接して、オーバーフロー部２２２が備えられている。このオーバーフロー部２２２は洗浄ノズル２０１から吐出された洗浄液を排出する部分であり、試薬プローブ７ａが挿入される空間と共に、集合管２５０に接続されている。この集合管２５０は、廃液流路である。洗浄ノズル２０１から吐出された洗浄液は、絞り部３０１から直接下方に落下するものと、オーバーフロー部２２２を経由して下方に落下するものの２経路あり、集合管２５０で集められ排出される。一方、洗浄ノズル２０２から吐出された洗浄液は、直接下方に落下し、集合管２５０を経由して排出される。
【００３２】  廃液流路となる集合管２５０と洗浄槽との間には、廃液流路と洗浄槽とを遮蔽する遮蔽部材として球１００が配置されている。この球１００は、真空ノズル２１２ａ〜ｃの吸引に伴う吸引力によって洗浄槽側へ移動し、洗浄槽と廃液流路との間の流路を遮蔽する部材である。遮蔽されることによって、吸い込む空気の量を減らすことができ、球１００が配置されていない場合と比べ乾燥時間を短縮することができる。
【００３３】  ここで、遮蔽とは、完全に流路を密閉する場合の他、一部が完全に密閉されていない状態をも含む概念である。この部材が作用していない状態よりも真空ノズルが空気を吸引し難くなる方向に作用すれば、遮蔽と考えることができる。
【００３４】  次に、右上の要部断面斜視図について説明する。球１００は、廃液部２２１に収容されており、保持部１０１で保持され一定の高さに静置されている。球１００と洗浄槽との間には、Ｏリング１０２が配置されている。このＯリング１０２は、球１００との密着性を良くするものであり、球１００とＯリング１０２が接触したときの遮蔽効果を高めることができる。電極３０３ａ、３０３ｂについては後述する。
【００３５】  次に、図３を用いて、遮蔽部材である球１００の移動について説明する。通常時には、図３（ａ）に示すように、球１００は下がった位置で保持部１０１の上に乗り保持されている。真空ノズル２１２ａ〜ｃから空気が吸引されると、その吸引力により球１００は図３（ａ）の状態から、図３(ｂ)のように上方に持ち上げられ、Ｏリング１０２と接触し、廃液流路を遮蔽することが出来る。Ｏリング１０２は、密着性を高めると共に、球１００を静止させる役割も兼ね備えており、球１００の上方への移動を抑制する移動抑制部材として機能する。そのため、Ｏリング１０２は球１００の外径よりも幅の狭い内径を有する必要がある。
【００３６】  真空ノズル２１２ａ〜ｃの空気吸引が停止されると、球１００への吸引力が失われ、球１００の自重により重力に従い落下し、図３（ａ）の状態となる。なお、球１００は廃液部２２１の内径より小さい外径を備えており、スムーズに上下移動することができる。ここで、球１００を真空吸引動作で確実に上部に移動させ、洗浄ノズル２０１、２０２、サンプルプローブ７ａからの洗浄液を確実に排出させるためには、廃液部２２１の内径と球１００の直径のクリアランスは０．５ｍｍ〜２．０ｍｍの間で確保することが望ましい。
【００３７】  球１００は、このように空気の吸引力により移動する部材である必要があるため、球１００の中が空洞の球が望ましい。また、軽い材質のものが望ましい。加えて、球１００に接触する水溶液は、洗浄液や試薬のように多種成分のものが接触するため、材質は、ステンレスやセラミックのような耐薬品性の材質が望ましい。
【００３８】  球１００の上下のストロークは、Ｏリング１０２と保持部１０１との距離に概ね依存するものであり、図３（ａ）のように離れていると、真空吸引開始から洗浄槽下部を遮蔽できるまで時間がかかる。上下のストロークを短くするため、図３（ｃ）のように、保持部１０１に乗っている最下点の状態でＯリング１０２内に球１００の一部が入り込むことが望ましい。このようにするためには、保持部１０１とＯリング１０２との垂直方向の距離を球１００の直径よりも短くすることで実現できる。図３（ｃ）のようにすることで真空吸引開始から洗浄槽下部を遮蔽できるまでの時間も早まるので、乾燥時間を短縮することができる。又は、短縮した時間を洗浄時間にあててキャリーオーバの抑制を図ることができる。従い、球１００の上下ストロークを縮めることは有益である。なお、このように一部が入り込んでいても、Ｏリング１０２と球１００は非接触であるため、この隙間から、流れてくる洗浄液を留めることなく廃液できる。
【００３９】  次に、試薬プローブ７ａの洗浄から乾燥までの動作を図４を用いて詳細に説明する。図４で示す動作は、コントローラ２１により制御される。
【００４０】  まず、洗浄ノズル２０１、２０２から洗浄液を吐出する。洗浄槽に試薬プローブ７ａを下降させ、絞り部３０１に試薬プローブ７ａを挿入する。試薬プローブ7a下降させながら外側を洗浄する。試薬プローブ７ａを下降中は洗浄ノズル２０１、２０２の洗浄液は吐出しておき、試薬プローブ７ａ全体の外側を洗浄する。また、試薬プローブ７ａが絞り部３０１通過後から、試薬プローブ７ａの内洗洗浄を実施して、試薬プローブ7aの内部を洗浄する。内洗洗浄は試薬プローブ７ａの内部から内洗水として洗浄液を吐出することで行われる。この時、廃液部２２１に配置してある球１００は保持部１０１に乗った位置にあり、洗浄ノズル２０１、２０２、試薬プローブ７ａから吐出された洗浄液は廃液部２２１内に留まることなく、球１００の周りを流れて廃液流路である集合管２５０に排出される。洗浄液の排出は、後述の球１００が流路を遮蔽するまで続く。
【００４１】  試薬プローブ７ａからの洗浄液は洗浄ノズル２０１からの洗浄液が絞り部３０１上部を流れているため、絞り部３０１の上を洗浄液で蓋をされていることになる。このため、試薬プローブ７ａからの内洗水が洗浄槽の外部に飛散することはない。従って、内洗水の水圧として、キャリーオーバの抑制のため比較的高い水圧を使用することができる。
【００４２】  次に、試薬プローブ７ａが下降停止後に洗浄ノズル２０１、２０２の吐出を停止し、真空ノズル２１１、２１２ａ〜ｃから真空吸引を行い、試薬プローブ７ａを上昇させる。真空ノズル２１１、２１２ａ〜ｃから真空吸引が行われると、球１００は図３（ａ）の状態から上方に持ち上げられ図３（ｂ）の状態になり、廃液部２２１と洗浄槽との間の流路を遮蔽する。この時Ｏリング１０２を設けておくことで球１００の密着度は増し、完全に廃液部２２１を密閉することが出来る。廃液部２２１の球１００が上方に密着している間は真空ノズル２１２ａ〜ｃで吸引した空気の体積分は絞り部３０１から洗浄槽内部に入り込む。絞り部３０１は絞り形状にしてあるため入り込む空気の速度は増し、試薬プローブ７ａ側面に付着した洗浄液はエアーブロウの効果で弾き飛ばされて試薬プローブ７ａ側面の乾燥がなされる。
【００４３】  絞り部３０１から試薬プローブ７ａが出た後に真空ノズル２１１、２１２ａ〜ｃの真空吸引動作を停止する。これにより、球１００に対する吸引力が失われ、自重により球１００は下降する。
【００４４】  なお、内洗水が吸引されている球１００に当たる動作になっているが、内洗水が球１００に当たる水圧より、真空ノズル２１２ａ〜ｃからの吸引圧を大きく取れば、内洗水が当たることで球１００がＯリング１０２から外れて下降することはないので、試薬プローブ７ａの内洗は、絞り部３０１に挿入後から挿抜される直前まで行うことが出来る。
【００４５】  また、真空ノズル２１２ａ〜ｃの吸引時、球１００は上方のＯリング１０２に密着し、吸引停止後もＯリング１０２に密着していることも想定出来るが、次の洗浄工程で、試薬プローブ７ａの洗浄時、絞り部３０１通過後から試薬プローブ７ａの内洗洗浄を行うので、内洗水が球に当たり、下方に押し出すことで球は保持部１０１に戻される。又は、密着していることで洗浄槽に貯留される洗浄液の重さで球は保持部１０１に戻される。
【００４６】  以上、洗浄から乾燥までの動作の詳細を説明した。図４で説明したように、洗浄ノズル２０１、２０２から吐出された洗浄液を廃液流路に排出した後に洗浄槽と廃液流路との間の流路を、遮蔽部材として球１００で遮蔽することを示した。この遮蔽部材の役割により、真空吸引の際に吸い込む空気の量を減らすことができ、乾燥時間を短縮することができる。また、上記の効果に加え、球１００が密着するまでの間は、洗浄液は洗浄槽内に溜められることなく効率的に廃液流路に排出される。このため、洗浄液が溜まる可能性のある空間を狭くすることができ洗浄槽を小型化することができる。なお、前述の洗浄液を廃液流路に排出した後とは、全ての洗浄液を排出することを意味するのではなく、一部の洗浄液の排出が行われた後を意味する表現である。
【００４７】  前述のように遮蔽とは、完全に密閉する場合の他、一部が完全に密閉されていない状態をも含む概念であり、遮蔽部材は完全に密閉しなくともよい。従い、球１００が密着した状態で一部が開放される構造としてもよい。この場合には、乾燥効果は相対的に下がるが、洗浄液が常に排出されるためより小型化することができる。
【００４８】  また、洗浄槽と廃液流路との間に配置される遮蔽部材として球１００を例として説明したが、遮蔽部材は球１００のように球形状部材でなくともよい。例えば、楕円形状部材でもよい。また、可動式の扉のような機構を設け、真空ノズルの吸引力で移動し、吸引力により自動的に扉が閉まるような機構を遮蔽部材として採用してもよい。
【００４９】  また、移動抑制部材としてＯリングを例として説明したが、リング状でなくても遮蔽部材の移動を抑制できる部材であればよい。例えば、Ｏリングを配置しない場合には、洗浄槽の底部が遮蔽部材の移動を抑制する作用をするため洗浄槽の底部を遮蔽部材と考えることができる。但し、この遮蔽部材はＯリングのようにゴムやシリコンのような弾性体であれば、密着性を高まることができるので、洗浄槽とは別部材として、このような材質のものであることが望ましい。
【００５０】  ここまででは、洗浄ノズルから吐出された洗浄液を廃液流路に排出した後に洗浄槽と廃液流路との間の流路を遮蔽することについて説明したが、排出手段としては様々な手法が考えられるため、次の構成でも構わない。つまり、単に、遮蔽部材が、洗浄槽と廃液流路との間に配置され、真空ノズルの吸引に伴う吸引力によって移動し、洗浄槽と廃液流路との間の流路を遮蔽するものであっても良い。この場合には、廃液流路側に電磁弁等の機構が不要となるため弁の開閉に対し電気制御する必要がなく洗浄槽を小型化することができる。また、上記同様に遮蔽部材は、球形状部材であることが望ましい。また、上記の様々な手段を採用することで上記同様の効果が得られる。
【００５１】  次に、メンテナンス性の向上を考慮した工夫点について説明する。
【００５２】  図３に示すように洗浄ノズル２０１から吐出された洗浄液は大部分がオーバーフロー部２２２に流れ、洗浄ノズル２０２から吐出された洗浄液は廃液部２２１から流れてきて、洗浄槽下部の集合管２５０から排出される。この集合管２５０は、自動分析装置に固定されていることが望ましく、さらには、洗浄槽は集合管２５０と別部材で構成され、洗浄槽は集合管に対し着脱可能な構造となっていることが望ましい。すなわち、洗浄槽の取り付けは、上部から集合管２５０に差し込むのみで設置可能なため、着脱後の位置調整が不要となりメンテナンスの作業効率の向上を図ることができる。また、遮蔽部材を保持する配管である廃液部２２１は洗浄槽側に装着されており、当該配管と洗浄槽とが別部材で構成され、洗浄槽は当該配管に対し着脱可能な構造となっていることが望ましい。これにより、球１００などの遮蔽部材やＯリング１０２などの移動抑制部材の交換が容易に行えるようになり、やはりメンテナンスの作業効率の向上を図ることができる。
【００５３】  次に、保持部１０１について説明する。
【００５４】  保持部１０１は、遮蔽部材を保持するものであり、遮蔽部材は球１００の場合には、図５に示す構造のものが望ましい。図５の（ａ）〜（ｃ）は図２のＡの矢印方向から観察した上面図である（球１００は非表示）。（ａ）、（ｂ）、（ｃ）は夫々保持部１０１を３つ、４つ、８つとした例である。球１００は、夫々の保持部１０１に支えられることで一定の高さを保つことができる。保持部１０１は球１００を保持するために、球形状の外径よりも短い直径を有する円の円周上に配置される必要がある。保持部１０１は３つ以上配置していることが望ましい。
【００５５】  間隙１１０は、球１００が保持部１０１に支えられているときにでも洗浄液を廃液流路に排出するために設けられる空間である。間隙１１０の形状は（ａ）〜（ｃ）の様に保持部１０１の数や形状によって任意に構成できるが、保持部１０１の数を増やしても、間隙１１０の面積が十分に取ることが出来るのであれば、先浄液を十分排出可能となるので、排出の効果は変わらない。しかしながら、間隙１１０の面積を最大にして球１００の安定な保持が可能である（ａ）の３つの保持部を備えた形状が最適である。
【００５６】  保持部１０１の形状を中心から見て対照にすることで、球１００が保持部１０１の上に乗っている時は必ず中心位置に配置される。中心位置に配置されることで、安定した上下動作が可能となる。また、中心位置に配置されることで、洗浄液が球１００全体に回り込み、安定した球１００の洗浄も兼ねることができる。このため、球１００が中心位置に保持される限り、真空吸引動作によりスムーズに上下の動作を行うことができ、機能しなくなることはまずない。また、球１００の中心の直下を支える保持部を設けると  球１００を素早く中心位置に静置する妨げになる虞があるため、球１００の中心の最下点に接する保持部がないことが望ましい。
【００５７】  保持部１０１が３つ未満であると中心位置に球１００を保持するために複雑な形状の保持部１０１とする必要があるため、中心位置に配置することが比較的容易な３つ以上の保持部１０１とすることが望ましい。また、前述のように、３つの保持部１０１を備えることが最も望ましい。加えて、移動した球１００を素早く中心に静止させるためには、単に３つということではなく、各々の保持部１０１が中心に対して１２０度の中心角で配置されていることがさらに望ましい。また、同様の理由から、３つ以上の保持部に関しては、互いに隣接する保持部と中心とのなす角が３つ以上の保持部ですべて等しくなる配置が望ましい。（ａ）、（ｂ）、（ｃ）におけるなす角は夫々１２０度、９０度、４５度である。
【００５８】  次に、図５（ｄ）について説明する。図５（ｄ）は保持部として図５（ａ）を採用した場合の図３Ａの矢印方向の断面図である。３つの保持部１０１のうちの２つの保持部１０１を示している。上記でも述べたが、保持部１０１は球１００が常に同一中心位置に配置されるようにすることが重要となる。同一中心位置に戻らないと試薬プローブ７ａの内洗水等が球１００に対してまんべんなく当たらないので球１００の洗浄効果がばらつき、真空吸引時の上昇移動で動作が鈍くなったり、Ｏリング１０２からの離脱性の低下が起きると想定できるためである。そこで、図の丸で示すように、保持部１００の形状を面取り形状やＲ形状にしておくことで、球１００が試薬プローブ７ａの内洗水で保持部１０１に戻された時には、再現性良く中心位置に戻ることができる。このため、試薬プローブ７ａ内洗水が球１００に当たったときに、位置決めがしっかりされているので、球１００は動くことなく球１００の周りを十分に洗浄できる。
【００５９】  次に、洗浄槽と廃液流路との間の流路における詰まり検知について説明する。
【００６０】  球１００の洗浄が万が一不十分である場合には、Ｏリング１０２から離れずに球１００の下降動作がうまくいかない場合が考えられる。この場合には流路に詰まりが発生する。そして、詰まりが発生すると、洗浄槽内に洗浄液が溜まり、洗浄不足やコンタミ、洗浄液除去不足の状況になることが想定出来る。
【００６１】  信頼性の向上を目的として、図３のように真空ノズルよりも下方に電極３０３ａ、ｂを配置しておき、真空吸引開始から、設定した時間で電極の導通を確認すれば、この流路の詰まりを判定することができる。溜まった洗浄液が媒体となって電極間が導通するためである。正常に洗浄液を排出出来れば、真空吸引開始時に電極３０３ａ、ｂが導通することはないが、球１００が下がりきらず、洗浄槽内部に洗浄液が溜まっている場合は、真空吸引動作の前、若しくは、後で電極３０３ａ、ｂ間が導通するので洗浄槽の詰まりを検出できる。従い、洗浄槽と廃液経路との間の流路の詰まりを検知するために洗浄槽に電極３０３ａ、ｂを備えることが望ましい。
【００６２】  次に、実際に試薬吸引から洗浄終了までの洗浄槽内詰りの判定フローを図６に示す。この詰りの判定は図６の（ａ）〜（ｃ）のいずれにおいても判定可能である。（ａ）〜（ｃ）は詰まり判定のタイミングが異なるだけで他の内容は同じである。
【００６３】  図６（ａ）は試薬プローブ７ａの洗浄槽への下降開始後で真空吸引前に詰まり判定を行うフロー図である。このタイミングで詰りの判定を実施する場合、球１００がＯリング１０２に貼りついたとすると、洗浄液や内洗水が洗浄槽内に溜まるため、真空吸引前に詰りの判定を行えば容易に詰まり、すなわち球１００がＯリング１０２に貼りついていることを検出できる。例えば、洗浄槽内で、電極３０３ａを洗浄ノズル２０２の上方に配置し、電極３０３ｂを洗浄ノズル２０２の下方に配置すればよい。つまり、真空吸引前なので比較的洗浄槽内の上方にこれらの電極を配置することができる。なお、これらの電極を洗浄槽の下方に配置してもよい。
【００６４】  図６（ｂ）は真空吸引開始後で試薬プローブ７ａが洗浄槽から上昇を開始する前にこの詰まり判定を行うフロー図である。また、図６（ｃ）は試薬プローブ７ａが洗浄槽から上昇を開始した後に詰まり判定を行うフロー図である。これらのタイミングで詰まり判定を実施する場合は、真空吸引は開始されるが、球１００がＯリング１０２に貼りついたとすると、真空ノズル２１２ｃ以下の空間では廃液が真空ノズルで吸引できずに洗浄槽内に残る。このため、これらの電極は球１００と真空ノズル２１２ｃの間に配置する必要がある。
【００６５】  次に、詰まり除去動作について説明する。詰まり判定でＮＧとなった場合、つまり詰まっていると判定された場合、詰まり除去動作を行うことが有効である。詰り除去動作は、１サイクルを使用して長時間試薬プローブ７ａからの内洗水を長時間球１００にあてて、保持部１０１方向に押し出す方法でも可能であるし、試薬プローブ７ａの先端で直接、球１００を保持部１０１の方向に押し当てて、押し出す方法でも十分復帰させることができる。このように、コントローラは、万が一詰まりを検知した場合に、試薬プローブ７ａを遮蔽部材に押し当てる、又は、試薬プローブ７ａから内洗水を吐出することが望ましい。いずれの方法も遮蔽部材による遮蔽状態を解除するのに有効である。
【００６６】  次に、図７を用いて、洗浄ノズル２０１、２０２の流路を説明する。左図は、電磁弁、ポンプ、システム水を両方のノズルで共通化した場合の流路である。中図は、電磁弁は別々に設けて、ポンプとシステム水を両方のノズルで共通化した場合の流路である。右図は、電磁弁は別々に設けて、さらにポンプも別々に設けて、システム水を両方のノズルで共通化した場合の流路である。右図の場合には、洗浄ノズル２０１と２０２とで低圧ポンプと高圧ポンプを採用した例であり、このように水圧を変えることで、洗浄効率の最適化を図ることができる。
【００６７】  次に、別の実施例として、遮蔽部材として電磁弁３０２を採用した例を示す。図８の洗浄槽の斜視図断面は、廃液部２２１の下方に電磁弁３０２を備えた構造である。他の構成については概ね図２と同じであるためここでは説明を省略する。なお、電磁弁３０２の開閉状態の制御はコントローラ２１によって行われる。
【００６８】  洗浄動作について説明する。最初は電磁弁３０２が開状態である。試薬プローブ７aの洗浄は、洗浄槽に試薬プローブ７ａを下降させ、洗浄ノズル２０１、２０２から洗浄液を吐出し、試薬プローブ７ａに洗浄液を当てることにより行う。試薬プローブ７ａ洗浄後は、廃液部２２１下方の電磁弁３０２を閉状態とし、真空ノズル２１１、２１２ａ〜ｃから真空吸引を行いながら、試薬プローブ７ａを上昇させる。
【００６９】  電磁弁３０２を閉じて真空ノズル２１１、２１２ａ〜ｃから真空吸引を行うと、洗浄槽内には絞り部３０１からのみ空気が入り込んでくる。絞り部３０１より入り込んだ空気は絞り部３０１の内径を絞ることで、風速が上がり、試薬プローブ７ａが上昇すると、試薬プローブ７ａの外側に付着した洗浄液を絞り部３０１で吹き飛ばして洗浄液を除去する。
【００７０】  図２では電磁弁が不要な構成を示したが、図２の形態と同様、図８の洗浄槽においても、洗浄ノズル２０１、２０２から吐出された洗浄液を廃液流路に排出した後に洗浄槽と廃液流路との間の流路を遮断することによって、真空吸引の際に吸い込む空気の量を減らすことができ、乾燥時間を短縮することができる。ひいては、洗浄から乾燥までの時間を短縮することができる。
【００７１】  また、この効果に加え、洗浄液は効率的に廃液流路に排出されるため、洗浄槽内に大きな貯留部を設ける必要がない。このため、洗浄槽を小型化することができる。
【００７２】  上記では、試薬プローブ７ａに関して記述したが、サンプルプローブを試料容器１５の検体試料内に深く突っ込み、試料容器１５の底から吸引する分注方式もあり、この場合もプローブの洗浄範囲は広範囲にわたる。従って、サンプルプローブの洗浄槽にも適用でき、本発明の洗浄槽は試薬プローブのみに限定されるものではない。
【００７３】  また、真空ノズルの数は４本として説明したが、真空力との兼ね合いなので、真空ノズルの本数に左右されるものではない。例えば、真空ノズル２１１は無く、真空ノズル２１２ａ〜ｃのみであってもよい。また、洗浄ノズルの数も２本として説明したが、これについても同様である。例えば、洗浄ノズル２０２は無く、洗浄ノズル２０１のみであってもよい。
【００７４】  また、絞り部３０１がある構成について説明したが、この絞り部３０１は本発明に必須な構成ではない。但し、この絞り部３０１があることでより前述のとおり乾燥効率を高めることができる。
【００７５】  また、オーバーフロー部２２２がある構成について説明したが、このオーバーフロー部２２２は本発明に必須な構成ではない。但し、このオーバーフロー部があることで排水効果が高まり、洗浄ノズル２０１から多量の洗浄液をプローブに対し吐出することができる。このためプローブの洗浄効率を高める観点からはこのオーバーフロー部があることが望ましい。
【００７６】  また、遮蔽部材、移動抑制部材、洗浄槽が下から順番に配置される例を示したが、洗浄液が排出できる限りにおいて、遮蔽部材、移動抑制部材、洗浄槽が水平方向や傾斜方向に配置されていてもよい。但し、これらを下から順番に配置することで、洗浄槽の幅を小さくすることができ、より小型化が実現できる。
【００７７】  発明の本質を逸脱しない限りにおいて、様々な改良を行うことが可能である。洗浄および乾燥を同じ洗浄槽内で行う構成に対して、本発明の遮蔽部材を用いた乾燥効率の向上は特に有効である。プローブを洗浄槽に対して、下降させた後、プローブを水平方向に駆動させずに上下方向の駆動、洗浄ノズルの制御、および、真空ノズルの制御により、プローブの洗浄及び乾燥を行う洗浄槽に対して、本発明の遮蔽部材を用いた乾燥効率の向上は特に有効である。プローブを下降させた後、上昇するまでの間、全く水平方向に移動させてはいけないわけではないが、水平方向に移動させない方が、洗浄乾燥時間の短縮の面からは望ましい。
【符号の説明】
【００７８】  １…反応ディスク、２…反応容器、３…洗浄機構、４…分光光度計、５…攪拌機構、６…攪拌機構、７…試薬分注機構、７ａ…試薬プローブ、８…試薬分注機構、９…試薬ディスク、１０…試薬ボトル、１１…サンプル分注機構、１１ａ…サンプルプローブ、１３…洗浄槽、１５…試料容器、１６…ラック、１７…試料搬送機構、１８…試薬用シリンジ、１９…試料用シリンジ、２０…洗浄用ポンプ、２１…コントローラ、３０…攪拌機構用洗浄槽、３１…攪拌機構用洗浄槽、３２…試薬分注機構用洗浄槽、３３…試薬分注機構用洗浄槽、１００…球、１０１…保持部、１０２…Ｏリング、１１０…間隙、２０１…洗浄ノズル、２０２…洗浄ノズル、２１１…真空ノズル、２１２ａ…真空ノズル、２１２ｂ…真空ノズル、２１２ｃ…真空ノズル、２２１…廃液部、２２２…オーバーフロー部、２５０…集合管、３０１…絞り部、３０２…電磁弁、３０３ａ…電極、３０３ｂ…電極
【図１】
2015111470.tif 000003
【図２】
2015111470.tif 000004
【図３】
2015111470.tif 000005
【図４】
2015111470.tif 000006
【図５】
2015111470.tif 000007
【図６（ａ）】
2015111470.tif 000008
【図６（ｂ）】
2015111470.tif 000009
【図６（ｃ）】
2015111470.tif 000010
【図７】
2015111470.tif 000011
【図８】
2015111470.tif 000012
【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
試薬又は検体試料を吸引吐出するプローブと、
洗浄液を吐出する洗浄ノズルと、
空気を吸引する真空ノズルと、
前記洗浄ノズルと前記真空ノズルに接続され、前記洗浄ノズルから該洗浄液を吐出した後、前記真空ノズルで空気を吸引することで、前記プローブの洗浄および乾燥を行う洗浄槽と、
前記洗浄槽に接続され、該洗浄液を排出する廃液流路と、
前記洗浄ノズルから吐出された該洗浄液を前記廃液流路に排出した後に前記洗浄槽と前記廃液流路との間の流路を遮蔽する遮蔽部材と、を備え、
前記遮蔽部材は、前記洗浄槽と前記廃液流路との間に配置され、前記真空ノズルの吸引に伴う吸引力によって移動し、前記洗浄槽と前記廃液流路との間の流路を遮蔽することを特徴とする自動分析装置。
【請求項２】
（削除）
【請求項３】
請求項１記載の自動分析装置において、
前記遮蔽部材は、球形状部材であって、
さらに、該球形状部材と前記洗浄槽との間に配置された、該球形状部材の移動を抑制する移動抑制部材とを備え、
前記真空ノズルの吸引に伴い、該球形状部材が前記移動抑制部材に接触することで前記洗浄槽と前記廃液流路との間の流路を遮蔽することを特徴とする自動分析装置。
【請求項４】
請求項３記載の自動分析装置において、
前記移動抑制部材は、該球形状部材の外径よりも幅の狭い内径を有するＯリングであることを特徴とする自動分析装置。
【請求項５】
請求項４記載の自動分析装置において、
該球形状部材、前記Ｏリング、前記洗浄槽は、下から順番に配置され、前記真空ノズルが空気を吸引していない間は、該球形状部材は前記Ｏリングに非接触であり、前記真空ノズルの吸引に伴い、該球形状部材は垂直方向上方に移動し、前記Ｏリングに接触することを特徴とする自動分析装置。
【請求項６】
請求項３記載の自動分析装置において、
前記洗浄ノズルが洗浄液を吐出している間に該球形状部材を保持する、３つ以上の保持部を備え、
前記保持部は該球形状部材の外径よりも短い直径を有する円の円周上に配置されることを特徴とする自動分析装置。
【請求項７】
請求項１記載の自動分析装置において、
さらに、前記洗浄槽に電極を備え、
前記電極により前記洗浄槽と前記廃液流路との間の流路における詰まりを検知することを特徴とする自動分析装置。
【請求項８】
請求項７記載の自動分析装置において、
さらに、前記プローブの駆動および前記プローブの内洗水の吐出を制御するコントローラを備え、
前記遮蔽部材は、前記洗浄槽と前記廃液流路との間に配置され、前記真空ノズルの吸引に伴う吸引力によって移動し、前記洗浄槽と前記廃液流路との間の流路を遮蔽状態とする部材であって、
前記コントローラは、前記詰まりを検知した場合に、前記プローブを前記遮蔽部材に押し当てる、又は、前記プローブから内洗水を吐出することによって前記遮蔽部材による遮蔽状態を解除することを特徴とする自動分析装置。
【請求項９】
請求項１記載の自動分析装置において、
前記洗浄槽は、前記プローブを挿入するための絞り部を備え、
前記プローブが前記絞り部に挿入された状態で前記真空ノズルの空気の吸引がなされることを特徴とする自動分析装置。
【請求項１０】
請求項９記載の自動分析装置において、
前記絞り部は、前記洗浄ノズルが吐出する洗浄液が流れる経路上に配置されることを特徴とする自動分析装置。
【請求項１１】
請求項１０記載の自動分析装置において、
前記洗浄槽は、前記洗浄ノズルから吐出された洗浄液を排出するオーバーフロー部を備え、
前記オーバーフロー部は前記廃液流路に接続され、
前記オーバーフロー部を介して排出される洗浄液は、前記遮蔽部材を介さずに前記廃液流路に排出されることを特徴とする自動分析装置。
【請求項１２】
請求項１記載の自動分析装置において、
前記廃液流路として、自動分析装置に固定された配管を備え、
前記洗浄槽は前記配管と別部材で構成され、前記洗浄槽は前記配管と着脱可能なことを特徴とする自動分析装置。
【請求項１３】
請求項１記載の自動分析装置において、
前記プローブ、前記洗浄ノズル、前記真空ノズルを制御するコントローラを備え、
前記コントローラは、前記プローブを前記洗浄槽に対して下降させた後、前記プローブを水平方向に駆動させずに上下方向の駆動、前記洗浄ノズルの制御、および、前記真空ノズルの制御により、前記プローブの洗浄及び乾燥を行うことを特徴とする自動分析装置。
【請求項１４】
（削除）
【請求項１５】
請求項１記載の自動分析装置において、
さらに、検体試料と試薬とを混合する反応容器を保持する反応ディスクと、該反応容器に光を照射する光源と、該反応容器に照射された光を受光し分光する分光光度計と、前記分光光度計で受光した光量から該検体試料に含まれる所定成分濃度を算出するコントローラと、を備えることを特徴とする自動分析装置。
【請求項１６】
試薬又は検体試料を吸引吐出するプローブと、
洗浄液を吐出する洗浄ノズルと、
空気を吸引する真空ノズルと、
前記洗浄ノズルと前記真空ノズルに接続され、前記プローブの洗浄および乾燥を行う洗浄槽と、
前記洗浄槽に接続され、該洗浄液を排出する廃液流路と、
前記洗浄槽と前記廃液流路との間に配置され、前記真空ノズルの吸引に伴う吸引力によって移動し、前記洗浄槽と前記廃液流路との間の流路を遮蔽する遮蔽部材と、を備えることを特徴とする自動分析装置。
【請求項１７】
請求項１６記載の自動分析装置において、
前記遮蔽部材は、球形状部材であることを特徴とする自動分析装置。
【請求項１８】
請求項１６記載の自動分析装置において、
前記遮蔽部材は、球形状部材であって、
さらに、該球形状部材と前記洗浄槽との間に配置された、該球形状部材の移動を抑制する移動抑制部材とを備え、
前記真空ノズルの吸引に伴い、該球形状部材が前記移動抑制部材に接触することで前記洗浄槽と前記廃液流路との間の流路を遮蔽することを特徴とする自動分析装置。
【国際調査報告】
2015111470.tif 000013
2015111470.tif 000014
2015111470.tif 000015
2015111470.tif 000016